(57)【要約】【課題】この発明はベッド本体の側方に小物類の載置場所を容易に確保することができるベッド装置を提供することにある。【解決手段】ベッド本体１と、このベッド本体に設けられ上記ベッド本体の長手方向に対して複数の床部６ａ，６ｂに分割され各床部がベッド本体の幅方向に沿って配置された床板５と、上記ベッド本体の長手方向一端に設けられるヘッドボード４と、上記床板の少なくとも上記ヘッドボード側に位置する１つの床部を上記ベッド本体の幅方向に沿って移動可能に支持したガイド部材７とを具備する。【選択図】　　図１
2004097293.tif 000002
【特許請求の範囲】
【請求項１】
ベッド本体と、
このベッド本体に設けられベッド本体の長手方向に対して複数の床部に分割され各床部がベッド本体の幅方向に沿って配置された床板と、
上記ベッド本体の長手方向一端に設けられるヘッドボードと、
上記床板の少なくとも上記ヘッドボード側に位置する１つの床部を上記ベッド本体の幅方向に沿って移動可能に支持した支持機構と、
を具備したことを特徴とするベッド装置。
【請求項２】
上記支持機構は、上記ベッド本体の幅方向に沿って架設されたガイド部材と、上記床部の下面に設けられ上記ガイド部材に沿って移動可能であるとともに移動させたときに上記ベッド本体に当接してその移動範囲を制限する可動部材とからなることを特徴とする請求項１記載のベッド装置。
【請求項３】
上記支持機構は、上記床部に幅方向に沿って形成されたガイド溝と、上記ベッド本体に設けられ上記ガイド溝に係合して上記床部をベッド本体の幅方向に沿って移動可能にガイドするガイド部材とからなることを特徴とする請求項１記載のベッド装置。
【請求項４】
ベッド本体と、
このベッド本体に設けられベッド本体の長手方向に対して複数の床部に分割されるとともに各床部が上記ベッド本体の幅方向に沿って設けられた床板と、
上記ベッド本体の長手方向一端に設けられるヘッドボードとを具備し、
上記床板の少なくとも上記ヘッドボード側に位置する１つの床部は、接離する方向に移動可能に設けられそれぞれの対向する一端面に開放しかつベッド本体の幅方向に沿って細長い凹部が形成された一対の可動片と、上記ベッド本体の幅方向に沿って固定され一対の可動片を接近する方向に移動させたときにこれら可動片の凹部内に入り込む固定片とからなることを特徴とするベッド装置。
【請求項５】
ベッド本体と、
このベッド本体に設けられベッド本体の長手方向に対して複数の床部に分割されるとともに各床部が上記ベッド本体の幅方向に沿って設けられた床板と、
上記ベッド本体の長手方向一端に設けられるヘッドボードとを具備し、
上記床板の少なくとも上記ヘッドボード側に位置する１つの床部は、上記ベッド本体の幅方向一端部に固定され一端面にベッド本体の幅方向に沿って突出した凸部が設けられた固定片と、上記ベッド本体の幅方向他端部に上記固定片に対して接離する方向に移動可能に設けられ接近する方向に移動させることで上記凸部を収容する凹部が設けられた可動片とに分割されていることを特徴とするベッド装置。
【発明の詳細な説明】
【０００１】
【発明の属する技術分野】
この発明はマットレスが載置される床板を備えたベッド装置に関する。
【０００２】
【従来の技術】
たとえば、家庭用や病院用などのベッド装置においては、ベッド装置の利用者の枕元に、利用者が使用する小物類などの物品を容易に載置することのできる載置場所が必要なことがある。
【０００３】
従来、利用者の枕元に物品の載置場所を確保するためには、ベッド装置の側方にテーブルを設置し、そのテーブルを物品の載置場所として利用するということが行なわれていた。
【０００４】
【発明が解決しようとする課題】
ところで、ベッド装置の側方に設置されたテーブルは常時、物品の載置場所として使用するものでなく、使用しないことも多い。テーブルを使用しない場合、ベッド装置の側方に設置されたテーブルは、たとえば室内の歩行の妨げとなったり、室内空間を有効に利用できないなど邪魔になることがある。
【０００５】
不使用時に、上記テーブルが邪魔にならないようにするためには、たとえば納戸などの収納部に収納したり、邪魔にならない場所へ移動させるなどのことが行なわれる。
【０００６】
しかしながら、その場合、その都度、テーブルを収納部に出し入れしたり、移動させるなどの作業をともなうため、その作業が煩わしいということがあったり、テーブルを収納したり、移動させるためのスペースを確保できないということもある。
【０００７】
この発明は、物品の載置場所をベッド装置の側方に容易に確保することができ、しかも不要な場合には煩わしい作業を伴わずに容易に除去できるようにしたベッド装置を提供することことにある。
【０００８】
【課題を解決するための手段】
請求項１の発明は、ベッド本体と、
このベッド本体に設けられベッド本体の長手方向に対して複数の床部に分割され各床部がベッド本体の幅方向に沿って配置された床板と、
上記ベッド本体の長手方向一端に設けられるヘッドボードと、
上記床板の少なくとも上記ヘッドボード側に位置する１つの床部を上記ベッド本体の幅方向に沿って移動可能に支持した支持機構と、
を具備したことを特徴とするベッド装置にある。
【０００９】
請求項２の発明は、上記支持機構は、上記ベッド本体の幅方向に沿って架設されたガイド部材と、上記床部の下面に設けられ上記ガイド部材に沿って移動可能であるとともに移動させたときに上記ベッド本体に当接してその移動範囲を制限する可動部材とからなることを特徴とする請求項１記載のベッド装置にある。
【００１０】
請求項３の発明は、上記支持機構は、上記床部に幅方向に沿って形成されたガイド溝と、上記ベッド本体に設けられ上記ガイド溝に係合して上記床部をベッド本体の幅方向に沿って移動可能にガイドするガイド部材とからなることを特徴とする請求項１記載のベッド装置にある。
【００１１】
請求項４の発明は、ベッド本体と、
このベッド本体に設けられベッド本体の長手方向に対して複数の床部に分割されるとともに各床部が上記ベッド本体の幅方向に沿って設けられた床板と、
上記ベッド本体の長手方向一端に設けられるヘッドボードとを具備し、
上記床板の少なくとも上記ヘッドボード側に位置する１つの床部は、接離する方向に移動可能に設けられそれぞれの対向する一端面に開放しかつベッド本体の幅方向に沿って細長い凹部が形成された一対の可動片と、上記ベッド本体の幅方向に沿って固定され一対の可動片を接近する方向に移動させたときにこれら可動片の凹部内に入り込む固定片とからなることを特徴とするベッド装置にある。
【００１２】
請求項５の発明は、ベッド本体と、
このベッド本体に設けられベッド本体の長手方向に対して複数の床部に分割されるとともに各床部が上記ベッド本体の幅方向に沿って設けられた床板と、
上記ベッド本体の長手方向一端に設けられるヘッドボードとを具備し、
上記床板の少なくとも上記ヘッドボード側に位置する１つの床部は、上記ベッド本体の幅方向一端部に固定され一端面にベッド本体の幅方向に沿って突出した凸部が設けられた固定片と、上記ベッド本体の幅方向他端部に上記固定片に対して接離する方向に移動可能に設けられ接近する方向に移動させることで上記凸部を収容する凹部が設けられた可動片とに分割されていることを特徴とするベッド装置にある。
【００１３】
この発明によれば、床板を構成する１つの床部をベッド本体の幅方向に沿って移動させ、その端部をベッド本体の幅方向外方へ突出させることで、その突出端部を物品を載置するテーブル面として利用することができる。
【００１４】
【発明の実施の形態】
以下、この発明の実施の形態を図面を参照して説明する。
【００１５】
図１乃至図３はこの発明の第１の実施の形態を示す。図１（ａ）はベッド装置の平面図、同じく（ｂ）は正面図、同じく（ｃ）は側面図を示す。このベッド装置はベッド本体１を備えている。ベッド本体１は角パイプからなる一対の側部材２の両端面にそれぞれ脚部材３の上端を直角に連結するとともに、側部材２の長手方向一端に位置する一対の脚部材３にはヘッドボード４の内面の下端部が固定されている。
【００１６】
上記ベッド本体１の上面、つまり一対の側部材２の上面には床板５が設けられている。この床板５は、図１（ａ）に示すように所定の大きさの複数の床部６ａ，６ｂに分割されている。ヘッドボード４側に位置する１つの床部６ａを除く他の床部６ｂは幅方向の両端部を上記側部材２に固定して設けられている。なお、各床部６ａ，６ｂの幅寸法は一対の側部材２の対向間隔よりも大きく形成され、ヘッドボード４の幅寸法とほぼ同じになっている。
【００１７】
ヘッドボード４側に位置する床部６ａはベッド本体１の幅方向に沿って移動可能に設けられている。すなわち、上記床部６ａに対応位置する一対の側部材２のヘッドボード４側の端部間には、円筒パイプからなるガイド部材７が架設されている。
【００１８】
上記床部６ａの下面の幅方向両端部には上記ガイド部材７とで支持機構を構成する一対の可動部材８が設けられている。この可動部材８は、図３に示すように上記ガイド部材７にスライド可能に外嵌する環状の受け部９と、この受け部９から延出された一対の取付け部１０とが滑沢性を有するフッ素系の樹脂などによって一体成形されてなる。
【００１９】
上記取付け部１０には通孔１１が穿設され、上記床部６ａの幅方向両端部の下面には一対の通孔１１と対応してナット体１２が埋め込まれている。そして、可動部材８は上記取付け部１０の通孔１１にねじ１３を通し、そのねじ１３を上記ナット体１２に螺合させることで、床部６ａの下面の幅方向両端部に取付け固定されている。
【００２０】
それによって、上記床部６ａは上記ガイド部材７に沿ってベッド本体１の幅方向に移動させることができるようになっており、またその移動量は移動方向に位置する一方の可動部材８が一方の側部材２の内面に当接することによって制限される。
【００２１】
図１（ｂ）、（ｃ）に鎖線で示すように、上記床板５の上面にはマットレス１４が載置される。この実施の形態では、上記マットレス１４の幅寸法は図１（ｃ）に示すように床板５の幅寸法よりもわずかに小さく、一対の側部材２の対向間隔とほぼ同じに形成されている。
【００２２】
上記構成のベッド装置によれば、床板５を構成する複数の床部６ａ，６ｂのうち、ヘッドボード４側に位置する床部６ａはベッド本体１の幅方向に沿って移動可能になっている。
【００２３】
そのため、利用者が枕元に小物類の載置場所を必要とする場合には、図２（ｂ）或いは図１（ａ）、（ｃ）に鎖線で示すようにその床部６ａをベッド本体１の幅方向に沿って移動させ、床部６ａの一端部をマットレス１４の幅方向一側から外方へ突出させる。それによって、図１（ｃ）に示すように、床部６ａの突出部分Ｔを小物類の載置面である、テーブル面として利用することが可能となる。
【００２４】
ヘッドボード４側に位置する床部６ａはベッド本体１の幅方向に沿って移動可能であるが、図２（ｂ）に示すように移動方向の端部に位置する一方の可動部材８が一方の側部材２の内面に当たることで、その移動が制限される。そのため、上記床部６ａを移動させ過ぎ、この床部６ａによるマットレス１４の支持状態が大きく損なわれるのを防止することができる。
【００２５】
つまり、マットレス１４の上記床部６ａから外れる部分大きくなり過ぎないように制限できるから、マットレス１４の床部６ａから外れた部分が荷重を受けることで下方へ大きく撓むのを防止することができる。
【００２６】
上記床部６ａの幅寸法は上記マットレス１４の幅寸法よりもわずかに大きく設定されているため、床部６ａの端部がマットレス１４の側面から外方に露出している。そのため、床部６ａを移動させる際、その端部の露出部分を掴むことができるから、床部６ａの移動を容易に行なうことができる。
【００２７】
さらに、床部６ａはベッド本体１の幅方向の左右いずれの方向にも移動させることができる。そのため、ベッド本体１が幅方向一側を壁面に接近させて設置される場合であっても、上記床部６ａを幅方向他方に移動させることで、この床部６ａの端部を小物類の載置するテーブル面として利用することができる。
【００２８】
図４（ａ），（ｂ）と図５（ａ），（ｂ）は床部６ａを移動可能に支持する支持機構の変形例を示す第２の実施の形態である。すなわち、この第２の実施の形態は、床部６ａの幅方向中央部に、厚さ方向に貫通したガイド溝２１が幅方向に沿って所定長さで形成されている。このガイド溝２１は図５（ａ），（ｂ）に示すように床部６ａの上面に開放した広幅部２１ａと、この広幅部２１ａの底面と床部６ａの下面とを貫通した狭幅部２１ｂとからなる。
【００２９】
ベッド本体１のヘッドボード４側の端部には、床部６ａのガイド溝２１と対応する位置に角筒状の支持部材２２が幅方向に沿って架設されている。この支持部材２２の幅方向中央部分の上面には一対の開口２３（図５に１つのみ図示）が幅方向に所定の間隔で形成され、各開口２３にはめねじ部材２４が装着されている。
【００３０】
上記床部６ａのガイド溝２１にはガイド部材としての一対のガイドねじ２５が挿通され、これらガイドねじ２５は上記雌ねじ部材２４に螺合される。図５（ａ）に示すように上記ガイドねじ２５をねじ込めば、上記床部６ａを移動不能に固定することができる。図５（ｂ）に示すようにガイドねじ２５を緩めれば、上記床部６ａはガイド溝２１を上記ガイドねじ２５に沿わせてベッド本体１の幅方向に沿って移動させることができる。
【００３１】
上記床部６ａのベッド本体１の幅方向に沿う移動距離は、床部６ａの移動方向と逆方向に位置する一方のガイドねじ２５に、上記ガイド溝２１の末端が当たることによって制限される。つまり、ガイドねじ２５の取付け位置と、ガイド溝２１の幅方向に沿う長さとによって上記床部６ａのベッド本体１の幅方向に沿う移動距離を設定することができる。
【００３２】
したがって、このような構成のベッド装置であっても、必要に応じて床部６ａをベッド本体１の幅方向に沿って移動させることで、その端部を小物類の載置するテーブル面として利用することができる。
【００３３】
図６と図７はこの発明の第３の実施の形態を示す。この第３の実施の形態はヘッドボード４側に位置する床部６ａが一対の可動片３１と、１つの固定片３２とに分割されている。
【００３４】
各可動片３１には、幅方向と交差する方向に所定の間隔で離間した一対のガイド溝２１が幅方向に沿って所定の長さで形成されている。このガイド溝２１は、第２の実施の形態の床部６ａに形成されたガイド溝２１と同様、広幅部２１ａと狭幅部２１ｂ（図５（ａ），（ｂ）に示す）とを有する同じ断面形状である。さらに、各可動片３１には、幅方向一端面に開放した凹部３３が幅方向に沿って所定の長さで形成されている。
【００３５】
上記固定片３２は、一対の可動片３１の凹部３３が開放した端面を接合させたときに、これら凹部３３によって形成される空間部と同じ大きさ、つまり一対の凹部３３内に入り込む大きさの帯板状をなしている。
【００３６】
図７に示すように、ベッド本体１のヘッドボード４側の端部には、一対の支持部材３４が一対の側部材２間に架設されている。一対の支持部材３４は、ベッド本体１の幅方向と交差する長手方向に対し、上記可動片３１に形成された一対のガイド溝２１と同じ間隔で設けられている。
【００３７】
一対の支持部材３４間には一対の固定部材３５がベッド本体１の幅方向に所定の間隔で架設されている。上記支持部材３４は第２の実施の形態に示された支持部材２２と同様、角筒状で、長手方向の両端部の上面には図５（ａ），（ｂ）に示すようにめねじ部材２４が設けられている。
【００３８】
各上記可動片３１は、それぞれのガイド溝２１に２本ずつ通されたガイドねじ２５を、一対の支持部材３５のめねじ部材２４に螺合することで、そのガイドねじ２５にガイド溝２１を沿わせて移動可能に設けられている。
【００３９】
つまり、一対の可動片３１はベッド本体１の幅方向に沿って接離可能に設けられている。帯板状の上記固定片３２は、長手方向をベッド本体１の幅方向に沿わせて上記一対の固定部材３５に固定して設けられている。
【００４０】
図７（ａ）に示すように、一対の可動片３１を凹部３３が開放した一端面を接触させた状態では、一対の凹部３３内に固定片３２が収容されている。図７（ｂ）に示すように一方の可動片３１をベッド本体１の幅方向一側から外方へ突出させれば、その可動片３１の突出した端部を小物類を載置するテーブル面として利用することができる。図７（ｃ）に示すように、一対の可動片３１を離反する方向に移動させ、それぞれの端部をベッド本体１の幅方向両側から外方へ突出させれば、各端部をそれぞれ小物類を載置するテーブル面として利用することができる。
【００４１】
このような構成のベッド装置によれば、一方或いは両方の可動片３１をベッド本体１の幅方向外方へスライドさせても、可動片３１が移動した後には固定片３２が残留している。そのため、可動片３１を移動させても、マットレス１４は固定片３２によって支持されるため、マットレス１４の支持状態が不安定になるのを防止できる。
【００４２】
また、可動片３１に形成された一対のガイド溝２１を、この可動片３１の凹部３３が開放した一端面側に寄せて形成することができる。そのため、可動片３１の他端部をベッド本体１の幅方向外方から突出させても、上記ガイド溝３１がマットレス１４からほとんど露出しないため、可動片３１の端部をテーブル面として利用する際に体裁がよい。
【００４３】
床板５の１つの床部６ａだけでなく、他の床部６ｂも、床部６ａと同じように、一対の可動片３１と固定片３２とによって形成してもよい。その場合、全ての床部６ａ，６ｂを図７（ａ）のように一対の可動片３１が接触する状態にすれば、床板５をシングルサイズ若しくはセミダブルサイズの幅寸法とすることができ、図７（ｃ）に示すように両方の可動片３１を幅方向外方に移動させた状態では、セミダブルサイズ若しくはダブルサイズとして利用することができる。
【００４４】
図８はこの発明の第４の実施の形態を示す。この第４の実施の形態は、ヘッドボード４側に位置する床部６ａが固定片４１と可動片４２とに分割されている。固定片４１の一端には帯状の凸部４３が所定の長さで突設され、上記可動片４２には上記凸部４３に対応する形状の凹部４４が一端面に開放して形成されている。この凹部４４の両側には、それぞれガイド溝２１が形成されている。このガイド溝２１は第２、第３の実施の形態と同様、広幅部２１ａと狭幅部２１ｂとを有する。
【００４５】
ベッド本体１のヘッドボード４側の端部には、第３の実施の形態と同様、ベッド本体１の長手方向に所定の間隔で離間した一対の支持部材３４と、これら支持部材３４間にベッド本体１の幅方向に所定の間隔で離間した一対の固定部材３５とが架設されている。
【００４６】
上記固定片４１は、その凸部４３をベッド本体１の幅方向内方に向けて上記一対の固定部材３５に固定して設けられ、上記可動片４２は、凹部４４の開放端をベッド本体１の幅方向内方に向け、ガイド溝２１を介して上記支持部材３４にガイドねじ２５によって移動可能及び固定可能に設けられている。
【００４７】
したがって、このような構成によれば、可動片４２を固定片４１から離反する方向に移動させれば、この可動片４１の端部をテーブル面として利用することができる。
【００４８】
上記可動片４２の一対のガイド溝２１を凹部４４の両側に設けるようにしたから、上記ガイド溝２１を凹部４４に制限を受けることなく、長くすることができる。そのため、可動片４２を移動させる距離を十分に長くすることができるから、上記可動片４２のベッド本体１の幅方向一側からの突出距離を大きくすることができる。
【００４９】
この発明は上記各実施の形態に限定されるものでなく、たとえば上記各実施の形態では床板をヘッドボード側に位置する１つの床部と、他の複数の床部とによって形成したが、他の複数の床部を１つの床部としてもよい。つまり、床板を、２つの床部によって形成し、そのうちのヘッドボード側に位置する床部をベッド本体の幅方向に沿って移動可能に設けたり、可動片と固定片とに分割するようにしてもよい。
【００５０】
【発明の効果】
以上のようにこの発明によれば、床板を構成する１つの床部をベッド本体の幅方向に沿って移動させることができるようにした。
【００５１】
そのため、その床部の端部をベッド本体の幅方向外方へ突出させれば、その突出部分を物品を載置するためのテーブル面として利用することができる。しかも、床部をベッド本体の幅方向に沿って移動可能に設けるだけでよいから、簡単な構成とすることができるなどの利点を有する。
【図面の簡単な説明】
【図１】（ａ）はこの発明の第１の実施の形態を示すベッド装置の平面図、（ｂ）は側面図、（ｃ）は正面図。
【図２】（ａ），（ｂ）はヘッドボード側に設けられた床部の平面図。
【図３】床部の可動部材が設けられた部分の断面図。
【図４】（ａ），（ｂ）はこの発明の第２の実施の形態を示すヘッドボード側の床部の平面図。
【図５】（ａ），（ｂ）は床部を移動可能に支持した構造を示す断面図。
【図６】この発明の第３の実施の形態を示すベッド装置の斜視図。
【図７】（ａ）は一対の可動片の一端面を接触させた状態の平面図、（ｂ）は一方の可動片を移動させた状態の平面図、（ｃ）は一対の可動片を移動させた状態の平面図。
【図８】この発明の第４の実施の形態を示すヘッドボード側の床部の平面図。
【符号の説明】
１…ベッド本体
４…ヘッドボード
５…床板
６ａ，６ｂ…床部
７…ガイド部材（支持機構）
８…可動部材（支持機構）
２１…ガイド溝（支持機構）
２５…ガイドねじ（支持機構）
３１，４２…可動片
３２，４１…固定片
【図１】
2004097293.tif 000003
【図２】
2004097293.tif 000004
【図３】
2004097293.tif 000005
【図４】
2004097293.tif 000006
【図５】
2004097293.tif 000007
【図６】
2004097293.tif 000008
【図７】
2004097293.tif 000009
【図８】
2004097293.tif 000010